(57)【要約】      （修正有）【課題】枡、溝等の水の澱みで蚊他害虫等の発生を予防するとともに、発生した蚊他害虫等を駆除する枡、溝等の蓋及び枡、溝等の防蚊構造を提供する。【解決手段】蓋の内面１０の略全面に、殺虫成分を徐放する塗膜４を設けること及びこれ等を枡、溝等の蓋１を使用し防蚊構造を構成する。また、殺虫成分を徐放する透水シート体３又は／及び塗膜４を、枡、溝及び蓋の内面１０に設けることで、蚊９他害虫の人体への悪影響を更に激減させ、且つ、透水シート体３が有する孔が蚊９他害虫の出入を制限することで、枡、溝等の内部への蚊９他害虫の侵入が更に制限されることになる。【選択図】図１−１
2011241673.tif 000002
【特許請求の範囲】
【請求項１】
蓋の内面の略全面に、殺虫成分を徐放する塗膜を設けたことを特徴とする枡、溝等の蓋。
【請求項２】
殺虫成分が下方に徐放することを特徴とする請求項１記載の枡、溝等の蓋。
【請求項３】
塗膜が連続発泡体であることを特徴とする請求項１又は２記載の枡、溝等の蓋。
【請求項４】
殺虫成分がピレスロイド系成分又はその成分と他の殺虫成分との混合体からなることを特徴とする請求項１、２又は３は記載の枡、溝等の蓋。
【請求項５】
請求項１、２、３又は４記載の枡、溝等の蓋を使用したことを特徴とする枡、溝等の防蚊構造。
【請求項６】
殺虫成分を徐放する塗膜又は／及び透水シート体を、枡、溝及び蓋の内面に設けたことを特徴とする請求項５記載の枡、溝等の防蚊構造。
【発明の詳細な説明】
【技術分野】
【０００１】
本発明は、枡、溝等の水の澱みで蚊他害虫等の発生を予防するとともに、発生した蚊他害虫等を駆除する枡、溝等の蓋及び枡、溝等の防蚊構造に関するものである。
【背景技術】
【０００２】
近年、新たに開発された住宅街、特に、団地の排水路、下水道等において蚊等が集団発生し、住民がその被害を受け大きな問題となっている。
また、蚊は水の清濁に関係なく生きのび、この間そこで暮らす人々に危害を加え、さらに、蚊他人体に悪影響を及ぼす害虫の完全駆除は使用する剤材の成分により、逆に人体への悪影響もあることから、半永久的な解決課題となっている。
害虫、特に蚊による住民への危害防止は確かに恒久的な問題であり、多種多様に解決手段となる物、方法、構造が公知化されている。
例えば、下記特許文献１に、雨水枡の蓋と本体との間にネットを配し蚊の出入りを禁止する「雨水枡の防蚊ネットの設置構造」が、特許文献２に、枡本体の上部に雨水を通すスクリーンを取り付け、底の溜まり部に放電用電極を設けた「雨水枡」が、特許文献３に、水が滞留する所要箇所に銅材を設けた「防蚊雨水枡」が、特許文献４に、枡蓋の排水孔より流入する雨水を堰き止め一定以上の重力で解放可能に構成した中蓋を枡内部に設けた「排水枡」が、特許文献５に、「防虫板」が、それぞれ提案されている。
【先行技術文献】
【特許文献】
【０００３】
【特許文献１】特許第３４１００８２号公報
【特許文献２】特許第４１１６９０６号公報
【特許文献３】特開２０００−１５４５８９号公報
【特許文献４】特許第３３７７５１５号公報
【特許文献５】特開２００６−２２６３０号公報
【特許文献６】特開２００６−１２９８２０号公報
【０００４】
しかしながら、上記「雨水枡の防蚊ネットの設置構造」は、蓋縁部での蓋の自重や踏み圧による防蚊ネットの劣化が危惧され、加えて防蚊ネットのサイズ合わせの加工が伴うことか耐用期間、設置作業効率で、「雨水枡」は、使用電気量、漏電の危惧等で、「防蚊雨水枡」は、部材点数の多さとその取り付け作業に要する経費で、「排水枡」は、嵩張った装置を内部に設け、桝本来の飽和水量を低減させていることで、豪雨時の水圧によるこの装置、スクリーン等の破損で、「防虫板」は、蓋に設けた特に蚊の出入りを不可能にする小さな排水穴の豪雨時での排水量で、「衛生害虫の防除方法」は、ネットの摩耗、破れ等、溝で生じる段差や汚泥による水溜りが考慮されていない点で、それぞれ問題を残すものとなっている。
【発明の概要】
【発明が解決しようとする課題】
【０００５】
本発明は、上記従来技術の有する問題点に鑑みてなしたものであり、枡、溝等の水溜りでのボウフラ及び蚊他害虫を駆除し、その周辺での人体への危害を激減させることを目的とする。
【課題を解決するための手段】
【０００６】
本発明の枡、溝等の蓋は、蓋の内面の略全面に、殺虫成分を徐放する塗膜を設けたことを特徴とする。
【０００７】
この場合において、殺虫成分が下方に徐放してもよい。
【０００８】
また、塗膜が連続発泡体であってもよい。
【０００９】
また、殺虫成分がピレスロイド系成分又はその成分と他の殺虫成分との混合体であってもよい。
【００１０】
また、本発明の枡、溝等の防蚊構造は前記載の枡、溝等の蓋を使用したことを特徴とする。
【００１１】
また、殺虫成分を徐放する透水シート体又は／及び塗膜を、枡、溝及び蓋の内面に設けることができる。
【発明の効果】
【００１２】
本発明の枡、溝等の蓋は、蓋の内面の略全面に、殺虫成分を徐放する塗膜を設けたことで、枡、溝等の内部に侵入する蚊他成虫を殺傷し、ボウフラが発生したとしても枡、溝の内部で駆除されることになる。
【００１３】
また、殺虫成分が下方に徐放することで、無駄なくより多くのボウフラ等害虫の幼虫や卵を駆除することができる。
【００１４】
また、塗膜が連続発泡体であることで、塗膜の表面積が増大し、殺虫成分の徐放量が激増し、駆除効率が著しく向上する。
【００１５】
また、殺虫成分がピレスロイド系成分又はその成分と他の殺虫成分との混合体であることで、殺虫成分の人体への悪影響がより以上に軽減され、安全性が著しく向上する
【００１６】
また、本発明の枡、溝等の防蚊構造は前記載の枡、溝等の蓋を使用したことで、蚊他害虫の人体への悪影響が激減する。
【００１７】
また、殺虫成分を徐放する透水シート体又は／及び塗膜を、枡、溝及び蓋の内面に設けることで、蚊他害虫の人体への悪影響を更に激減させ、且つ、透水シート体が有する孔が蚊他害虫の出入を制限することで、枡、溝等の内部への蚊他害虫の侵入が更に制限されることになる。
【図面の簡単な説明】
【００１８】
【図１−１】本発明の枡、溝等の蓋を示す、それぞれ（ａ）は平面図、（ｂ）は断面図である。
【図１−２】本発明の枡、溝等の蓋を示す、それぞれ（ｃ）、（ｄ）は共に底面図である。
【図２】本発明の枡、溝等の蓋を示し、（ａ）は平面図、（ｂ）は断面図である。
【図３】本発明の枡、溝等の防蚊構造を示し、（ａ）は平面図、（ｂ）は断面図である。
【図４−１】本発明の枡、溝等の防蚊構造を示す家庭内下水の排水経路を示す断面図である。
【図４−２】本発明の枡、溝等の防蚊構造を示す公共又は共有の雨水排水路を示す断面図である。
【発明を実施するための形態】
【００１９】
以下、本発明の枡５、溝等の蓋１と枡５、溝６等の防蚊構造Ａ、Ｂの実施形態を図面に基づいて説明する。
【実施例１】
【００２０】
図１−１（ａ）及び（ｂ）、図１−２（ｃ）及び（ｄ）に、本発明の枡５、溝６等の蓋１の第１実施例を示す。
図１−１（ａ）及び（ｂ）は、コンクリート製の枡５とコンクリート製の溝６が接続された排水路において、流入孔部１２を有するコンクリート製の枡５の蓋１とコンクリート製の溝６の蓋１との双方の内面１０とに殺虫成分２を徐放する透水シート体３及び塗膜４を設けた平面図とその断面図を示し、図１−２（ｃ）及び（ｄ）は、同様のコンクリート製の枡５の蓋１と同様なコンクリート製の溝６の蓋１それぞれの底面図を示している。
【００２１】
この場合、透水シート体３及び塗膜４を蓋１の内面１０の全体に設けてもよいが、蓋１と枡５、溝６との嵌合部１１での重圧や摩擦による塗膜４の劣化が危惧され、耐用観点での問題を派生させることから、蓋１と枡５、溝６との嵌合部５１、６１を除き設けた方が好適となり、また、塗膜４には適度な強さと耐久性が要求される。
さらに、塗膜４が殺虫成分２を徐放する期間に応じて塗膜４の体積や殺虫成分２の量を調整すればよく、同時に、殺虫成分２が下方に徐放されるように調合すればよく、このように設計することで、排水設備の内部間でそこに流れ着いたボウフラ９１等害虫の幼虫や卵９０と等、流入孔部１２から侵入する蚊９他成虫を排水設備の内部で長期に亘り殺傷することになる。
【００２２】
また、より大きな殺傷力が望まれる場合は、連続発砲の倍率を大きくし、殺虫成分２徐放量を増大させることも可能であり、このような殺虫成分２には、多種多様にある品種の中でも人体への悪影響が皆無に近く殺虫効果が大きいピレスロイド系成分を採用することが最適となる。
【実施例２】
【００２３】
図２（ａ）及び（ｂ）に、本発明の枡、溝等の蓋１の第２実施例を示す。
図２（ａ）及び（ｂ）は、流入孔部１２のない合成樹脂製の枡５の蓋１の内面１０に連続発泡させた塗膜４０を設けた合成樹脂製の蓋１を有するとともに、合成樹脂製の排水用の枡５、と溝６としての合成樹脂製無孔管とを接続した排水路を示すもので、図２（ａ）は平面図、図２（ｂ）は断面図である。
【００２４】
このような水路は下流部の詰まりや飽和を超える水量により、プラスチック製無孔管の破裂や蓋１が押し上げられ、周辺に蚊の産卵を容易にする水溜り８０を発生させ、蓋１と排水用の枡５と蚊等出入り可能な間隙が生じる危惧があり、また、公共の大きな下水道においては、爆発的な水量時は周辺に広く新たな水溜りをつくり、上流より流れきた害虫の卵、ボウフラ９１の成長や蚊９の産卵の環境を提供することになり、このような状況下においても本発明の枡５、溝等の蓋１は蚊９の出入りとその産卵、ボウフラ９１の成長を未然に防止する。
【００２５】
また、殺虫成分２についても既に汎用されている、例えば有機リン化合物、カーバメート化合物等であってもよいし、誘引した蚊９等の害虫を不妊化して次世代の害虫密度を減少させるための昆虫成長制御活性成分、例えば幼若ホルモン活性化合物、キチン合成阻害化合物等が好適に使用することができ、特にピレスロイド系化合物が最適に使用することができることになる。
【００２６】
以下に、殺虫成分２の具体例のいくつかを示す。
α−シアノ−３−フェノキシベンジル  ２−（４−クロロフェニル）−３−メチルブチラート、（Ｓ）−α−シアノ−３−フェノキシベンジル（Ｓ）−２−（４−クロロフェニル）−３−メチルブチラート、α−シアノ−３−フェノキシベンジル  ２，２，３，３−テトラメチルシクロプロパンカルボキシラート、α−シアノ−３−フェノキシベンジル  ３−（２，２−ジクロロビニル）−２，２−ジメチルシクロプロパンカルボキシラート、α−シアノ−３−フェノキシベンジル  クリサンテマート、３−フェノキシベンジル  クリサンテマート、３−フェノキシベンジル  （１Ｒ）−クリサンテマート、Ｏ，Ｏ−ジメチル  Ｏ−（２−ジエチルアミノ−６−メチルピリミジン−４−イル）ホスホロチオエート、Ｏ，Ｏ−ジエチル  Ｏ−（５−フェニル−３−イソキサゾール）  ホスホロチオエート、  Ｏ，Ｏ−ジエチル  Ｏ−（３−オキソ−２−フェニル−２Ｈ−ピリダジン−６−イル）  ホスホロチオエート、Ｏ，Ｏ−ジメチル  Ｓ−（２−エチルチオ）エチル  ホスホロジチオエート、Ｏ，Ｏ−ジメチル  Ｓ−（２−イソプロピルチオ）エチル  ホスホロジチオエート、Ｏ，Ｏ−ジメチル  Ｓ−フタルイミドメチルホスホロジチオエート、２−クロロ−１−（２，４，５−トリクロロフェニル）ビニル  ジメチルホスフェート等、他多数となる。
また、ピレスロイド系化合物としては、ペルメトリン、サイフェノトリン、ｄ−フェノトリン、４−レスメトリン、フェンバレレート、フェンプロパスリン、エトフェンプロクス、トラロメスリン、エトフェンブロックス、α−サイパーメスリン、λ−シハロトリン、デルタメスリン、メトフルトリン、エンペントリン、プロフルトリン、トランスフルトリンなどが挙げられる。
【００２７】
また、作用機能が異なる２種類以上の上記等の殺虫成分を併用すれば、感染症を媒介する昆虫の害虫防除剤に対する抵抗性を発現しにくくでき、さらに、害虫防除剤の効果を高める共力剤として、ピペロニルブトキサイド、Ｎ−オクチルビシクロヘプテンジカルボキシイミド、Ｎ−（２−エチルヘキシル）−１−イソプロピル−４−メチルビシクロ［２，２，２］オクト−５−エン−２，３−ジカルボキシイミド、オクタクロロジプロピルエーテルなどを配合することもでき、殺虫成分と共力剤の配合量、使用期間、期待する効果等はすべて本発明の枡、溝等とこれ等の蓋が要望される環境とその設計に委ねられることになり、さらに、本発明において用いられる防虫活性成分は、１種単独で使用しても、２種以上を混合して使用してもよく、その混合割合は任意に選択できる。防虫活性成分の使用量は、該活性成分の種類、防除対象、本発明は蚊を主とするが、害虫の種類等により異なることになる。
【００２８】
さらに、本発明の枡、溝等の蓋１の設計において、蓋１と枡５、溝６等の本体上部との接触部分（蓋１と枡５、溝６との嵌合部１１）での殺虫成分２を下方に徐放する透水シート体３や塗膜４の形成は、枡５、溝６等の蓋１の製作過程での、殺虫成分を透水シート体３や塗膜４に付加する製作過程での技術手段においても、例えば、熱可塑性樹脂に練り込む、塗液に分散させる等多様な公知手段より、最適な手段の選択が可能となる。
【００２９】
また、本発明において、図１−１（ｂ）のイメージで示しているように、使用する下方に徐放される殺虫成分２の質量は使用現場周辺の大気質量を超えることが前提となっていることで、産卵のため侵入してきた蚊は落下、卵は孵化せず、流入したボウフラはすぐに死滅することになる。
【００３０】
以上の実施例で説明したように、本発明の枡、溝等の蓋１はその内部に蚊の侵入を防ぎ、ボウフラが発生したとしても枡、溝の内部で駆除し、また、塗膜が連続発泡体であることで、塗膜の表面積が増大し、その分、殺虫成分がより多く徐放され、特に、ピレスロイド系成分の割合が高まる程にこの殺虫成分の安全性が向上し、人体への悪影響をより減少させることになる。
【実施例３】
【００３１】
図３に本発明の枡５、溝６等の防蚊構造Ａを第３実施例で示す。
図３で示す枡５、溝６等の防蚊構造Ａは、家庭内雨水等の水８の排水経路で示すもので、上述の本発明の枡５、溝６等の蓋１の内面１０に、ピレスロイド系殺虫成分を下方に徐放する塗膜４を設けたものである。
【実施例４】
【００３２】
図４−１及び図４−２に、本発明の枡５、溝６等の防蚊構造Ｂを第５実施例で示す。
図４−１は、家庭内下水の排水経路を示し、端部に植栽部７０を有する住宅地７の排水路を側方からみた断面を示すものであり、この場合、矢印は水８の流れ方向を示している。
住居内から無孔管を通して排出された水８は、殺虫成分２を徐放する透水シート体３を底面に設けた排水用の枡５に溜まり、その余剰の水８が敷地外に設置されている公共の下水道に排出される。
また、図４−２は、公共又は共有の雨水排水路を示す断面図であり、排水用の枡５の水８の流出入部には殺虫成分２を徐放するネット状の透水シート体３が設けられており、排水経路に侵入する蚊９、ボウフラ９１、害虫の卵９０等を駆除すると同時に、排水用の枡５への土石、枯葉等の流出入を透水シート体３で抑制、防止することが可能となる。
また、蚊９等害虫の内外間の出入りを物理的に不可能にする場合は、相応の孔や網目を有する透水シート体３を採用し、これを枡５、溝６等の蓋１の内面に流入孔部１２を塞ぐように設ければよく、さらに、本発明の防蚊構造Ａ及びＢにおいては、１つの排水路のすべての枡５、溝６等の蓋１の内面１０に殺虫成分２を徐放する塗膜４を設ける必要性はない。
【００３３】
上記実施例において、透水シート体３と塗膜４とを適宜併用することも本発明では可能となり、また、透水シート体３には一般的な合成樹脂やガラス、自然繊維からなるネット、織布、不織布が選択でき、枡５、溝６等の蓋１の流入孔部１２の有無とその材質は特に限定されるものではなく、一般的に排水、貯水用で市販されているコンクリート、鋼材、合成樹脂やこれ等の複合、補強体、木材や合板等から適宜選択すればよいことになる。
【００３４】
また、以上の防蚊構造Ｂにおいての殺虫成分２を徐放する透水シート体３や塗膜４を設ける箇所は枡５や溝６の上部、溝６では枡５の近隣や水溜り８０が発生し易い窪み部の内壁に設けることが、殺虫成分２の効率上最適であり、このような本発明の防蚊構造Ａ、Ｂは、住宅地やその植栽部の周辺において、特に側溝の片側には植栽部７０が設けられている場合は、そこが藪蚊等の絶好の住処となるが、蚊の集団発が減少し、住民がその被害を受けることを激減させることになる。
【００３５】
以上、本発明の枡５、溝６等の蓋１と枡５、溝６等の防蚊構造ＡとＢについて、実施例に基づいて説明したが、本発明は、上記実施例に記載した構成に限定されるものではなく、その趣旨を逸脱しない範囲において適宜その構成を変更することができるものである。
【産業上の利用可能性】
【００３６】
本発明の枡５、溝６等の蓋１と枡５、溝６等の防蚊構造ＡとＢは、例えば、他の貯水槽、貯水器や生活排水設備等の防蚊、他害虫駆除への転用が可能になる。
【符号の説明】
【００３７】
１    枡、溝等の蓋
１０  蓋の内面
１１  嵌合部
１２  流入孔部
２    殺虫成分
３    透水シート体
４    塗膜
５    枡
５０  枡の内面
６    溝
６０  溝の内面
７    住宅地
７０  植栽部
８    水
８０  水溜り
９    蚊
９０  卵
９１  ボウフラ
Ａ    枡、溝等の防蚊構造
Ｂ    枡、溝等の防蚊構造
【図１−１】
2011241673.tif 000003
【図１−２】
2011241673.tif 000004
【図２】
2011241673.tif 000005
【図３】
2011241673.tif 000006
【図４−１】
2011241673.tif 000007
【図４−２】
2011241673.tif 000008